(57)【要約】【課題】室内などの空気を十分且つ均一に殺菌することができるファン付除菌照明装置を提供すること。【解決手段】ＬＥＤチューブライト１０と、ＬＥＤチューブライト１０に電力を供給する装置本体３０と、装置本体３０を覆う反射板６０と、反射板６０の内部空間７０内に設置される空気殺菌ユニット８０とを有する。空気殺菌ユニット８０は、ケース８１内に、ケース８１の吸込口８３から吐出口８５に向かって空気を流すファン９０と、ケース８１内を流れる空気中に活性水素と酸素イオンとを供給する殺菌装置１００とを設置して構成される。反射板６０には内部空間７０に空気を導入する空気吸込口６７と、吐出口８５から吐き出される空気を反射板６０の外部に吐き出す空気吐出口６９とが設けられる。【選択図】図１
2010282791.tif 000002
【特許請求の範囲】
【請求項１】
チューブ内に発光ダイオードを内蔵してなるＬＥＤチューブライトと、
前記ＬＥＤチューブライトを保持してこのＬＥＤチューブライトに電力を供給する装置本体と、
前記装置本体とＬＥＤチューブライトの間に設置されるとともに装置本体を覆い、ＬＥＤチューブライトから発射された光を反射する反射板と、
前記装置本体が前記反射板によって覆われることで形成される内部空間内に設置される空気殺菌ユニットとを有し、
前記空気殺菌ユニットは、吸込口と吐出口とを有するケースと、このケースの吸込口から吐出口に向かって空気を流すファンと、ケース内を流れる空気中に活性水素と酸素イオンとを供給する殺菌装置とを具備して構成されており、
前記反射板には前記内部空間に空気を導入する空気吸込口と、前記空気殺菌ユニットの吐出口から吐き出される空気を反射板の外部に吐き出す空気吐出口とが設けられていることを特徴とするファン付除菌照明装置。
【請求項２】
請求項１に記載のファン付除菌照明装置であって、
前記殺菌装置は、プラス成分の高電圧の印加によりプラズマ放電させて空気中の水分から水素イオンを発生させる陽イオン発生部と、マイナス成分の高電圧の印加によりプラズマ放電させて電子およびスーパーオキサイドアニオン（Ｏ2-）を発生させる陰イオン発生部とを有し、前記ケース内に、前記陽イオン発生部上を流れた空気が前記陰イオン発生部上を流れるように、上流側に前記陽イオン発生部、下流側に陰イオン発生部を配置したことを特徴とするファン付除菌照明装置。
【請求項３】
請求項１に記載のファン付除菌照明装置であって、
前記空気殺菌ユニットのケースの吸込口は前記反射板の内部空間内に開口しており、前記空気殺菌ユニットのケースの吐出口は前記反射板に設けた空気吐出口に露出しており、
さらに前記反射板のＬＥＤチューブライトに対向する位置に空気吸込口を設けたことを特徴とするファン付除菌照明装置。
【請求項４】
請求項３に記載のファン付除菌照明装置であって、
前記反射板の前記ＬＥＤチューブライトに対向する面はＬＥＤチューブライトの外周の一部を収納する凹状の湾曲面となっており、この湾曲面に前記空気吸込口が設けられていることを特徴とするファン付除菌照明装置。
【請求項５】
回路基板上の複数位置に発光ダイオードを取り付けてなる発光板と、
前記発光板を取り付けて発光板の熱を伝導させる放熱兼取付板と、
前記発光板の前面にこれを覆うように設置される透光性の化粧板と、
前記放熱兼取付板の発光板を取り付けた反対面側を覆うとともに前記取付板との間に空気通路を形成するカバーと、
前記放熱兼取付板の外周辺の外側位置に形成される空気吸込口および空気吐出口と、
前記空気吸込口から空気を吸い込ませ前記空気通路を通して放熱兼取付板を冷却しながら前記空気吐出口から吐き出させるファンと、
前記空気通路内に設置され、この空気通路を流れる空気中に活性水素と酸素イオンとを供給する殺菌装置と、を具備することを特徴とするファン付除菌照明装置。
【発明の詳細な説明】
【技術分野】
【０００１】
本発明は、照明と同時に空気中に浮遊する汚染源を効率よく除去することができるファン付除菌照明装置に関するものである。
【背景技術】
【０００２】
従来、室内の空気中には、各種生物学的汚染源〔たとえばインフルエンザウイルス、コロナウイルス、ＭＲＳＡ（メチシリン耐性黄色ブドウ球菌）、カビ、アレル物質（ダニの死がい粉・ふん、ペットからのアレル物質など）〕や、活性酸素などの空気汚染源が浮遊しており、人体に有害なものとなっている。
【０００３】
そして上記有害な空気汚染源を空気中から除去するために、各種方法が開発されており、その中の有効な装置の１つとして、陽イオン発生部と陰イオン発生部とを具備してなる殺菌装置（たとえば特許文献１参照）が提案されている。
【０００４】
この殺菌装置は、空気を陽イオン発生部から陰イオン発生部に向けて流し、まず陽イオン発生部において空気にプラス成分の高電圧を印加して空気中の水分子を分解して水素イオン（Ｈ+）を生成する。
４Ｈ2Ｏ→２Ｈ2Ｏ＋Ｏ2＋４Ｈ+
【０００５】
一方前記陰イオン発生部において空気にマイナス成分の高電圧を印加して電子（ｅ-）および酸素イオン（Ｏ2-）を生成する。
Ｏ2＋ｅ-→Ｏ2-
【０００６】
そして前記陽イオン発生部で生成された水素イオンが陰イオン発生部に近づくと、水素イオンは陰イオン発生部で生成された電子と結合して水素原子（Ｈ）となる。
Ｈ+＋ｅ-→Ｈ
【０００７】
そして水素原子（Ｈ）と酸素イオン（Ｏ2-）が結合することでハイドロペルオキシラジカル（ＨＯＯ-）が生成される。このハイドロペルオキシラジカル（ＨＯＯ-）はプラスの電荷を帯びた生物学的汚染源を取り囲んで付着し、生物学的汚染源表面のたんぱく質構造の水素結合を破壊して生物学的汚染源を破壊する。同時に反応したＨＯＯ-radicalは、水（Ｈ2Ｏ）に戻って空気中に戻る。
【０００８】
一方、前記水素原子（Ｈ）の一部は、空気中に浮遊している活性酸素（ＯＨ-radical）と結合し、水分子となって活性酸素（ＯＨ-radical）を中和する。
Ｈ＋ＯＨ→Ｈ2Ｏ
【０００９】
なおこの活性酸素（ＯＨ-radical）は、活性酸素種の中で最も毒性（酸化力）の強い物質で、皮膚老化および皮膚疾病などの原因物質として知られている。
【００１０】
このように上記殺菌装置は、有害な空気汚染源を効果的に空気中から除去することができるので、室内などの空気の清浄化に効果的である。そして上記殺菌装置に空気を供給する手段としては送風用のファンを用いることが考えられる。すなわち殺菌装置の近傍にファンを設置することでファン付除菌器を構成すれば、ファンを駆動することで殺菌装置に空気が吹き付けられ、殺菌装置の陽イオン発生部から陰イオン発生部に向けて空気が流れ、空気が清浄化されながらこのファン付除菌器から外部に吐き出される。吐き出された空気はたとえば室内を循環することにより、室内空気の清浄化が行われる。
【先行技術文献】
【特許文献】
【００１１】
【特許文献１】特開２００６−３４９５７号公報
【発明の概要】
【発明が解決しようとする課題】
【００１２】
しかしながらたとえば建物の室内の天井などに前記ファン付除菌器を設置するような場合は、天井に設置される照明装置やその他の各種器具などを避けて設置しなければならず、設置場所が限られてしまい、その設置個数が制限されたり、設置場所が均一にならなかったりする恐れがある。設置個数が制限されると室内空気の十分な殺菌が行なえなくなる。また設置場所が均一でない場合は室内空気全体の均一な殺菌が行なえなくなる。
【００１３】
一方従来、室内などを照明する蛍光灯を用いた照明装置がある。そして近年、この種の照明装置として、蛍光灯の代りに、発光ダイオードを用いることが行われている。発光ダイオードは蛍光灯などに比べて消費電力が少なく、寿命も長いので、省エネルギー化が図れ、今後の照明装置として有望である。しかしながら発光ダイオードは熱に弱いので、これを照明装置に用いた場合、自身の発熱によって寿命が短くなる恐れがあり、これを防止するための冷却手段が別途必要となっていた。
【００１４】
本発明は上述の点に鑑みてなされたものでありその目的は、室内などの空気を十分且つ均一に殺菌することができ、また容易に寿命の長期化を図ることができるファン付除菌照明装置を提供することにある。
【課題を解決するための手段】
【００１５】
本願請求項１に記載の発明は、チューブ内に発光ダイオードを内蔵してなるＬＥＤチューブライトと、前記ＬＥＤチューブライトを保持してこのＬＥＤチューブライトに電力を供給する装置本体と、前記装置本体とＬＥＤチューブライトの間に設置されるとともに装置本体を覆い、ＬＥＤチューブライトから発射された光を反射する反射板と、前記装置本体が前記反射板によって覆われることで形成される内部空間内に設置される空気殺菌ユニットとを有し、前記空気殺菌ユニットは、吸込口と吐出口とを有するケースと、このケースの吸込口から吐出口に向かって空気を流すファンと、ケース内を流れる空気中に活性水素と酸素イオンとを供給する殺菌装置とを具備して構成されており、前記反射板には前記内部空間に空気を導入する空気吸込口と、前記空気殺菌ユニットの吐出口から吐き出される空気を反射板の外部に吐き出す空気吐出口とが設けられていることを特徴とするファン付除菌照明装置にある。
【００１６】
本願請求項２に記載の発明は、請求項１に記載のファン付除菌照明装置であって、前記殺菌装置は、プラス成分の高電圧の印加によりプラズマ放電させて空気中の水分から水素イオンを発生させる陽イオン発生部と、マイナス成分の高電圧の印加によりプラズマ放電させて電子およびスーパーオキサイドアニオン（Ｏ2-）を発生させる陰イオン発生部とを有し、前記ケース内に、前記陽イオン発生部上を流れた空気が前記陰イオン発生部上を流れるように、上流側に前記陽イオン発生部、下流側に陰イオン発生部を配置したことを特徴とするファン付除菌照明装置にある。
【００１７】
本願請求項３に記載の発明は、請求項１に記載のファン付除菌照明装置であって、前記空気殺菌ユニットのケースの吸込口は前記反射板の内部空間内に開口しており、前記空気殺菌ユニットのケースの吐出口は前記反射板に設けた空気吐出口に露出しており、さらに前記反射板のＬＥＤチューブライトに対向する位置に空気吸込口を設けたことを特徴とするファン付除菌照明装置にある。
【００１８】
本願請求項４に記載の発明は、請求項３に記載のファン付除菌照明装置であって、前記反射板の前記ＬＥＤチューブライトに対向する面はＬＥＤチューブライトの外周の一部を収納する凹状の湾曲面となっており、この湾曲面に前記空気吸込口が設けられていることを特徴とするファン付除菌照明装置にある。
【００１９】
本願請求項５に記載の発明は、回路基板上の複数位置に発光ダイオードを取り付けてなる発光板と、前記発光板を取り付けて発光板の熱を伝導させる放熱兼取付板と、前記発光板の前面にこれを覆うように設置される透光性の化粧板と、前記放熱兼取付板の発光板を取り付けた反対面側を覆うとともに前記取付板との間に空気通路を形成するカバーと、前記放熱兼取付板の外周辺の外側位置に形成される空気吸込口および空気吐出口と、前記空気吸込口から空気を吸い込ませ前記空気通路を通して放熱兼取付板を冷却しながら前記空気吐出口から吐き出させるファンと、前記空気通路内に設置され、この空気通路を流れる空気中に活性水素と酸素イオンとを供給する殺菌装置と、を具備することを特徴とするファン付除菌照明装置にある。
【発明の効果】
【００２０】
請求項１，請求項２に記載の発明によれば、建物の室内の天井などに設置される照明装置として設置できるので、その設置場所や設置個数が制限されることがなく、容易に建物の天井などに均一に十分な数だけ設置することが可能となり、これによって室内空気全体の均一で十分な殺菌が行なえるようになる。また殺菌装置などが照明装置内に収納されているので、外観上もすっきりする。また既存の建物に本発明にかかるファン付除菌照明装置を設置する場合は、既存の照明装置（たとえば蛍光灯器具）を本発明にかかるファン付除菌照明装置に置き換えるだけでよく、その設置が容易に行える。同時に室内空気を循環できるので、室内温度の均一化も図れる。
【００２１】
請求項３に記載の発明によれば、内部空間に導入される外部空気は導入の際にＬＥＤチューブライトの外周側面の周囲を通過するので、点灯によって発熱するＬＥＤチューブライトの熱は効率よくその周囲を通過する空気に伝導される。これによってＬＥＤチューブライトは効果的に冷却され、ＬＥＤチューブライトに内蔵されている発光ダイオードの寿命の長期化を図ることができる。
【００２２】
請求項４に記載の発明によれば、空気吸込口から吸い込まれる外部空気は確実にＬＥＤチューブライトの外周面に沿うように流れるので、より効果的にＬＥＤチューブライトを冷却することができる。
【００２３】
請求項５に記載の発明によれば、建物の室内の天井などに設置される照明器具として設置できるので、その設置場所や設置個数が制限されることがなく、容易に建物の天井などに均一に十分な数だけ設置することが可能となり、これによって室内空気全体の均一で十分な殺菌が行なえるようになる。また殺菌装置などが照明器具内に収納されているので、外観上もすっきりする。また既存の建物に本発明にかかるファン付除菌照明装置を設置する場合は、既存の照明器具を本発明にかかるファン付除菌照明装置に置き換えるだけでよく、その設置が容易に行える。同時に室内空気を循環できるので、室内温度の均一化も図れる。
また放熱兼取付板に面する空気通路内を空気が流通するので、点灯によって発熱する発光板の熱が放熱兼取付板を介して効率よく空気に伝導され、発光板を冷却することができ、発光板に取り付けている発光ダイオードの寿命の長期化が図れる。
【図面の簡単な説明】
【００２４】
【図１】ファン付除菌照明装置１−１の概略横断面図である。
【図２】ファン付除菌照明装置１−１を下側から見た斜視図である。
【図３】ＬＥＤチューブライト１０を取り外した状態のファン付除菌照明装置１−１を下側から見た斜視図である。
【図４】装置本体３０を下側から見た斜視図である。
【図５】空気殺菌ユニット８０を下側から見た斜視図である。
【図６】空気殺菌ユニット８０を上側から見た斜視図である。
【図７】殺菌装置１００の斜視図である。
【図８】ファン付除菌照明装置１−２を下側から見た斜視図である。
【図９】図９（ａ）はファン付除菌照明装置１−２の平面図、図９（ｂ）はファン付除菌照明装置１−２の概略断面図である。
【発明を実施するための形態】
【００２５】
以下、本発明の実施形態を図面を参照して詳細に説明する。
〔第１実施形態〕
図１は本発明の第１実施形態にかかるファン付除菌照明装置１−１の概略横断面図（図２のＡ−Ａ線部分の概略断面図）、図２はファン付除菌照明装置１−１を下側から見た斜視図、図３は２本のＬＥＤチューブライト１０を取り外した状態のファン付除菌照明装置１−１を下側から見た斜視図である。
【００２６】
これらの図に示すように、ファン付除菌照明装置１−１は、２本のＬＥＤチューブライト１０と、ＬＥＤチューブライト１０の両端に設けた端子接続部１３を係合して保持するランプソケット３３を有する装置本体３０と、装置本体３０とＬＥＤチューブライト１０の間に設置されるとともに装置本体３０を覆い、ＬＥＤチューブライト１０から発射された光を反射する反射板６０と、装置本体３０が反射板６０によって覆われることで形成される内部空間７０内に設置される空気殺菌ユニット８０とを有して構成されている。
【００２７】
ＬＥＤチューブライト１０は、従来の直管型の蛍光灯と同一外形形状であり、ガラスまたは透明な樹脂からなる直管型チューブ（円筒管）内に、直線状に発光ダイオードを設置し、発光ダイオードを発光することで管表面から光が外部に放射されるように構成されている。ＬＥＤチューブライト１０の両端には、従来の蛍光灯と同様に、外部の電源に接続するための端子接続部１３が設けられている。
【００２８】
図４は装置本体３０を下側から見た斜視図であり、図３に示す反射板６０を取り外した時の状態を示している。同図に示すように装置本体３０は、ＬＥＤチューブライト１０の長手方向に向かって長尺略矩形状で板金製の取付板３１を具備し、その下面に電源ユニット３５と、空気殺菌ユニット８０とを取り付け、また取付板３１の長手方向の両端に一対ずつのランプソケット３３を取り付けて構成されている。ランプソケット３３は、前記ＬＥＤチューブライト１０の端子接続部１３を装着して係合することで、前記電源ユニット３５から供給される電力をＬＥＤチューブライト１０に供給するとともに、ＬＥＤチューブライト１０を保持するものである。取付板３１は図示しない固定手段によって壁面、この例では天井面１１０（図１参照）に固定される。
【００２９】
図１〜図３に戻って、反射板６０は金属板（鋼板など）製であり、ＬＥＤチューブライト１０の長さ方向に向かって長尺でＬＥＤチューブライト１０とほぼ同一長さ寸法を有し、横断面略Ｖ字状（船底形状）に形成されている。反射板６０の表面には塗装（例えば白色）が施されている。反射板６０の中央には長手方向に向かう屈曲辺６１が形成され、その両側の矩形長尺の面が反射面６３となっている。各反射面６３の両端には前記装置本体３０のランプソケット３３を挿入して反射面６３の前面側に突出できるようにする開口が設けられており、これら両側の開口間を連結するように各反射面６３には湾曲面６５が形成されている。湾曲面６５は、反射板６０のＬＥＤチューブライト１０に対向する面にＬＥＤチューブライト１０の外周の一部を収納するように凹状（円弧状）で直線状に形成されている。そして各湾曲面６５内には、湾曲面６５の長手方向に向かって複数の空気吸込口６７が設けられている。各空気吸込口６７は長手方向に向かって長尺な貫通するスリットであり、湾曲面６５内の長手方向のほぼ全長にわたって点状に略等間隔に形成されている。また反射板６０の屈曲辺６１のほぼ中央付近には、下記する空気殺菌ユニット８０のケース８１の吐出口８５を露出させる略矩形状の空気吐出口６９が形成されている。
【００３０】
反射板６０は前記装置本体３０を覆うように装置本体３０を取り付けた壁面（天井面）１１０にその外周辺が図示しない固定手段によって固定される。反射板６０の外周辺は４辺ともほぼ同一高さに位置しているので、この外周辺を壁面に取り付けることで、装置本体３０（または壁面１１０）と反射板６０の間に形成される内部空間７０はほぼ密閉された空間になる。
【００３１】
図５は空気殺菌ユニット８０を下側から見た斜視図、図６は空気殺菌ユニット８０を上側から見た斜視図である。両図に示すように空気殺菌ユニット８０は、吸込口８３と吐出口８５とを有するケース８１に、吸込口８３から吐出口８５に向かって空気を流すファン９０と、ケース８１内を流れる空気中に活性水素と酸素イオンとを供給する殺菌装置１００とを設置して構成されている。
【００３２】
ケース８１は合成樹脂の成型品であり、略矩形長尺の箱型であり、一方の端部の下面に吸込口８３が形成され、他方の端部の下面に吐出口８５が形成されている。吸込口８３と吐出口８５の間は両者をつなぐダクト部８７となっており、ダクト部８７の上面には開口８９が形成されている。開口８９の周囲の上辺には、外方に張り出すように舌片状で小孔を有する取付部９１が設けられている。吸込口８３の上部にはファン９０が取り付けられており、ファン９０の吸込口９２が吸込口８３に面し、ファン９０の吐出口９３がケース８１のダクト部８７の一端近傍部分に面している。吐出口８５は多数のスリットによって構成されている。ファン９０にはたとえばシロッコファンなどの遠心ファンが用いられる。
【００３３】
ケース８１のダクト部８７内の途中の底面には、殺菌装置１００が収納・設置されている。殺菌装置１００の上面とダクト部８７内の底面とはほぼ同一面となるように、殺菌装置１００はダクト部８７の底面に形成した凹部内に収納されている。図７は殺菌装置１００の斜視図である。同図に示すように殺菌装置１００は、略矩形形状で樹脂製のケースによって覆われた基台１１０の上面の一方の端部近傍に陽イオン発生部１３０を設置するとともに、基台１１０の上面の他方の端部近傍に陰イオン発生部１５０を設置して構成されている。
【００３４】
陽イオン発生部１３０は、基台１１０上面に形成した凹部内に平板状のセラミック板１３１をその上面が露出するように収納して構成されている。セラミック板１３１の内部の上側には放電電極が、下側には誘導電極が設置され、両電極間にプラス成分の高電圧（例えば３ｋＶ程度）を印加することで、プラズマ放電を生じさせ、周囲の空気中の水分（Ｈ2Ｏ）を電離して水素イオン（Ｈ+）を発生させる。
４Ｈ2Ｏ→２Ｈ2Ｏ＋Ｏ2＋４Ｈ+
【００３５】
陰イオン発生部１５０は、針状電極１５１の周囲をコ字状に囲むように保護部１５３を設置して構成されている。針状電極１５１にはマイナス成分の高電圧（例えば−４ｋＶ程度）を印加することで、プラズマ放電により針状電極１５１の周囲に陽イオンが集まり、針状電極１５１から多量の電子（ｅ-）が空気中に放出される。空気中に放出された多量の電子は非常に不安定なので、酸素分子（Ｏ2）に捕捉されてスーパーオキサイドアニオン（Ｏ2-）を形成する。つまり針状電極１５１にマイナス成分の高電圧が印加されることで、電子およびスーパーオキサイドアニオンが発生する。同時に針状電極１５１から電子が放出されると、電子は前記セラミック板１３１から発生して針状電極１５１の周囲を通る水素イオンと結合して活性水素（水素原子）（Ｈ）となる。
Ｈ+＋ｅ-→Ｈ
Ｏ2＋ｅ-→Ｏ2-
【００３６】
そしてこれら活性水素（Ｈ）と酸素イオン（Ｏ2-）が結合することでハイドロペルオキシラジカル（ＨＯＯ-）が生成される。このハイドロペルオキシラジカル（ＨＯＯ-）はプラスの電荷を帯びた生物学的汚染源を取り囲んで付着し、生物学的汚染源表面でＨＯＯ-radicalが生成され、生物学的汚染源表面のたんぱく質構造の水素結合を破壊して生物学的汚染源を破壊する。同時に反応したＨＯＯ-radicalは、水（Ｈ2Ｏ）に戻って空気中に戻る。
【００３７】
一方、前記活性水素（Ｈ）の一部は、空気中に浮遊している活性酸素（ＯＨ-radical）と結合し、水分子の形で活性酸素（ＯＨ-radical）を中和する。
Ｈ＋ＯＨ→Ｈ2Ｏ
【００３８】
上記効果を有効に生じさせるためには、殺菌装置１００周囲の空気を陽イオン発生部１３０側から陰イオン発生部１５０側に向けてできるだけ直線状に流し、陽イオン発生部１３０で発生させた水素イオン（Ｈ+）を確実に陰イオン発生部１５０の周囲に供給する必要があり、この実施形態においては、ケース８１内に、陽イオン発生部１３０上を流れた空気が陰イオン発生部１５０上を流れるように、上流側に陽イオン発生部１３０、下流側に陰イオン発生部１５０を配置している。
【００３９】
そして図４に示すように空気殺菌ユニット８０はその上面を装置本体３０の取付板３１に取付部９１によって固定し、これによって開口８９を取付板３１で塞いでいる。
【００４０】
そして図３に示すように、天井に取り付けた装置本体３０の下側に、装置本体３０を覆うように反射板６０を設置してこれも天井に取り付け、その際反射板６０に設けた空気吐出口６９に空気殺菌ユニット８０のケース８１の吐出口８５を露出させる。このとき同時に各ランプソケット３３は反射板６０の下面側に突出する。そして図２に示すように、各ランプソケット３３にＬＥＤチューブライト１０両端の端子接続部１３を係合すれば、ファン付除菌照明装置１−１の組み立てが完成する。なお上記組立手順はその一例であり、他の各種異なる組立手順を用いて組み立てても良いことはいうまでもない。
【００４１】
以上のように構成されたファン付除菌照明装置１−１において、たとえば室内または室外に設置したオンオフスイッチをオンすれば、電源ユニット３５を通じてＬＥＤチューブライト１０に電源電圧が印加されてＬＥＤチューブライト１０が明るく照明される。同時に空気殺菌ユニット８０にも電源電圧が印加され、ファン９０が駆動されると同時に殺菌装置１００が駆動される。ファン９０が駆動されると吸込口８３から外部の空気が吸い込まれ、ファン９０の内部を通過した後にダクト部８７を通過し、吐出口８５から反射板６０の外部（下面側）に下方に向けて吹き出される。
【００４２】
なお吸込口８３から吸い込まれる空気は内部空間７０内の空気であり、この空気は吐出口８５から内部空間７０の外部に吐き出されるので、内部空間７０で不足する空気は、反射板６０の湾曲面６５に設けた空気吸込口６７から外部の空気が吸い込まれることで補われる。そしてこのファン付除菌照明装置１−１においては、反射板６０のＬＥＤチューブライト１０に対向する位置に空気吸込口６７を設けているので、内部空間７０に導入される外部空気はその前にＬＥＤチューブライト１０の外周側面の周囲を通過する。これによって点灯によって発熱するＬＥＤチューブライト１０の熱が効率よく空気に伝導され、ＬＥＤチューブライト１０を冷却することができる。前述のようにＬＥＤチューブライト１０は発熱に弱く、効果的な放熱を行わないと内蔵されている発光ダイオードの寿命が大きく短縮されてしまう恐れがあるが、このファン付除菌照明装置１−１においては別途特別な冷却手段を設置しなくても、ＬＥＤチューブライト１０の効果的な冷却が図れ、寿命の長期化を図ることができる。特にこのファン付除菌照明装置１−１の場合、反射板６０のＬＥＤチューブライト１０に対向する面をＬＥＤチューブライト１０の外周の一部を収納する凹状の湾曲面６５とし、この湾曲面６５に空気吸込口６７を設けたので、空気吸込口６７から吸い込まれる外部空気は確実にＬＥＤチューブライト１０の外周面を沿うように流れ、より効果的にＬＥＤチューブライト１０を冷却することができる。
【００４３】
一方前記空気殺菌ユニット８０において、殺菌装置１００の陽イオン発生部１３０のプラズマ放電によって生じた水素イオン（Ｈ+）は、ファン９０による空気流に乗って、陰イオン発生部１５０近傍に運ばれる。陰イオン発生部１５０近傍に運ばれた水素イオン（Ｈ+）は、針状電極１５１のプラズマ放電により生じる電子（ｅ-）と結合して活性水素（Ｈ）となり、同時に発生する酸素イオン（Ｏ2-）と結合することでハイドロペルオキシラジカル（ＨＯＯ-）が生成される。このハイドロペルオキシラジカル（ＨＯＯ-）は、空気流に乗って、ケース８１の吐出口８５から反射板６０の外部（下面側）に下方に向けて吹き出される。吹き出されたハイドロペルオキシラジカル（ＨＯＯ-）は、前述のように、室内の空気中の生物学的汚染源〔たとえばインフルエンザウイルス、コロナウイルス、ＭＲＳＡ（メチシリン耐性黄色ブドウ球菌）、カビ、アレル物質（ダニの死がい粉・ふん、ペットからのアレル物質など）〕を効果的に破壊する。同時に前記活性水素（Ｈ）の一部は、空気中に浮遊している活性酸素と結合してこれを中和する。吐き出された空気は室内全体を循環し室内全体を効果的に除菌・清浄化する。同時に空気の循環により室内温度の均一化も図れる。
【００４４】
本実施形態にかかるファン付除菌照明装置１−１は、建物の室内の天井などに設置される照明器具自体に空気殺菌ユニット８０（殺菌装置１００）を設置するので、空気殺菌ユニット８０の設置場所や設置個数が制限されることがなく、容易に建物の天井などに均一に十分な数の空気殺菌ユニット８０を設置することが可能となり、これによって室内空気全体の均一で十分な殺菌が行なえるようになる。また空気殺菌ユニット８０が照明器具内に収納されているので、外観上もすっきりする。また既存の建物に本実施形態にかかるファン付除菌照明装置１−１を設置する場合は、既存の照明装置（たとえば蛍光灯器具）を本発明にかかるファン付除菌照明装置１−１に置き換えるだけでよく、別途天井に空気殺菌ユニット８０設置用の穴などを設ける必要がなく、その設置が容易に行える。
【００４５】
〔第２実施形態〕
図８は本発明の第２実施形態にかかるファン付除菌照明装置１−２を下側から見た斜視図（天井２００から離した状態）である。また図９（ａ）はファン付除菌照明装置１−２の平面図、図９（ｂ）はファン付除菌照明装置１−２の概略断面図（図９（ａ）のＢ−Ｂ部分の概略断面図）である。これらの図に示すようにファン付除菌照明装置１−２は、発光板３００と、発光板３００を取り付けて発光板３００の熱を伝導させる放熱兼取付板３１０と、発光板３００の前面（図９（ｂ）の下方）にこれを覆うように設置される透光性の化粧板３３０と、放熱兼取付板３１０の発光板３００を取り付けた反対面側（背面側）を覆うとともに放熱兼取付板３１０との間に空気通路３４０を形成するカバー３５０と、前記放熱兼取付板３１０やカバー３５０を取り付ける前面板３７０と、前面板３７０の対向する両側辺付近であって放熱兼取付板３１０の外周辺の外側位置に形成される空気吸込口３８０および空気吐出口３９０と、空気吸込口３８０から空気を吸い込ませ空気通路３４０を通して放熱兼取付板３１０を冷却しながら空気吐出口３９０から吐き出させるファン４００と、空気通路３４０内に設置され空気通路３４０を流れる空気中に活性水素と酸素イオンとを供給する殺菌装置１００とを具備して構成されている。
【００４６】
発光板３００は回路基板上の複数位置に発光ダイオードを取り付けて構成されている。発光板３００は複数枚であり、これら複数枚の発光板３００は放熱兼取付板３１０のほぼ全面にほぼ均等に取り付けられている。
【００４７】
放熱兼取付板３１０は金属板を略矩形状であってその外周辺を前方（下方）に向けて折り曲げて構成されている。この放熱兼取付板３１０の下面には前記各発光板３００が面接触するように取り付けられ、上面には３台の殺菌装置１００が取り付けられている。
【００４８】
化粧板３３０は前記放熱兼取付板３１０の前面を覆う寸法形状に形成されている。化粧板３３０は透光性を有し、且つ表面に凹凸形状などを設けることで乱反射面とし、点状の光源である複数の発光ダイオードからの光を乱反射しながら透過させて面状に光らせるようにしている。
【００４９】
カバー３５０は金属板を略矩形状であってその外周辺を前方（下方）に向けて折り曲げて外周側壁３５１を形成して構成されている。外周側壁３５１はその先端辺を下記する前面板３７０に当接した際にカバー３５０の上面と放熱兼取付板３１０との間に所定高さの空気通路３４０が形成される寸法となっている。カバー３５０の下記するファン４００を取り付ける側の外周側壁３５１には空気排出口３５３が形成されている。カバー３５０の上面の所定位置には電源ユニット３５５が取り付けられている。電源ユニット３５５は、商用電源を入力して変換し、発光板３００と殺菌装置１００とファン３９０とにそれぞれ所望の電源電圧を供給するものである。
【００５０】
前面板３７０は金属板を略矩形状であって、前記カバー３５０やファン４００をその上に設置できる寸法形状に形成されている。前面板３７０の中央には前記化粧板３３０を露出する矩形状の開口３７１が設けられ、開口３７１の外周の一方の辺の外側には細長矩形状の貫通孔からなる空気吸込口３８０が、これに対向する他方の辺の外側には細長矩形状の貫通孔からなる空気吐出口３９０が設けられている。
【００５１】
ファン４００はこの実施形態ではシロッコファンを用いており、細長箱型のケース内に略棒状の羽根車を収納して構成されており、その吸込口は前記カバー３５０の空気排出口３５３に接続され、吐出口は前記前面板３７０空気吐出口３９０に接続されている。
【００５２】
殺菌装置１００は第１実施形態の殺菌装置１００と同一のものを３台、空気通路３４０内において空気の流れる方向に直交する方向に向けて並べて放熱兼取付板３１０上に取り付けている。その際、陽イオン発生部１３０は上流側、陰イオン発生部１５０は下流側に位置させる。
【００５３】
そしてこのファン付除菌照明装置１−２は、図８に示す天井２００に設けた開口２０１の部分に取り付けられる。
【００５４】
以上のように構成されたファン付除菌照明装置１−２において、たとえば室内または室外に設置したオンオフスイッチをオンすれば、電源ユニット３５５を通じて発光板３００の各発光ダイオードが発光し、化粧板３３０を通してその下側の空間が明るく照明される。同時にファン４００と殺菌装置１００とに電圧が印加され、ファン４００が駆動されると同時に殺菌装置１００が駆動される。ファン４００が駆動されると空気吸込口３８０から外部の空気が吸い込まれ、空気通路３４０を通過した後にファン４００を通して空気吐出口３９０から外部（下方）に向けて空気が吹き出される。
【００５５】
そしてこのファン付除菌照明装置１−２においては、放熱兼取付板３１０の上部に面する空気通路３４０内を空気が流通するので、点灯によって発熱する発光板３００の熱は放熱兼取付板３１０を介して効率よく空気に伝導され、発光板３００を冷却することができる。発光板３００に取り付けている発光ダイオードは前述のように発熱に弱く、効果的な放熱を行わないとその寿命が大きく短縮されてしまう恐れがあるが、このファン付除菌照明装置１−２においては別途特別な冷却手段を設置しなくても、効果的な冷却が図れ、発光ダイオードの寿命の長期化を図ることができる。
【００５６】
一方殺菌装置１００からは、第１実施形態と同様にハイドロペルオキシラジカル（ＨＯＯ-）が生成され、活性水素（Ｈ）とともに空気流に乗って、空気吐出口３９０から外部（下方）に向けて吹き出され、ハイドロペルオキシラジカル（ＨＯＯ-）は室内の空気中の生物学的汚染源を効果的に破壊し、同時に前記活性水素（Ｈ）は、空気中に浮遊している活性酸素と結合してこれを中和する。つまり吐き出された空気は室内全体を循環し室内全体を効果的に除菌・清浄化する。同時に空気の循環により室内温度の均一化も図れる。
【００５７】
本実施形態にかかるファン付除菌照明装置１−２は、建物の室内の天井などに設置される照明器具として設置できるので、容易に建物の天井などに均一に十分な数だけ設置することが可能となり、これによって室内空気全体の均一で十分な殺菌が行なえるようになる。また殺菌装置１００などが照明器具内に収納されているので、外観上もすっきりする。また既存の建物に本発明にかかるファン付除菌照明装置１−２を設置する場合は、既存の照明装置（たとえば蛍光灯器具）を本実施形態にかかるファン付除菌照明装置１−２に置き換えるだけでよく、その設置が容易に行える。
【００５８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、ＬＥＤチューブライト１０の本数、形状、構造は種々の変更が可能である。また装置本体３０の形状・構造や、反射板６０の形状・構造や、空気殺菌ユニット８０の形状・構造・設置個数なども種々の変更が可能である。またその他の各部品も種々の変更が可能であり、たとえばファン９０，４００として他の各種構造のファンを用いても良い。
【符号の説明】
【００５９】
１−１  ファン付除菌照明装置
１０  ＬＥＤチューブライト
１３  端子接続部
３３  ランプソケット
３０  装置本体
６０  反射板
６５  湾曲面
６７  空気吸込口
６９  空気吐出口
７０  内部空間
８０  空気殺菌ユニット
８１  ケース
８３  吸込口
８５  吐出口
９０  ファン
１００  殺菌装置
１３０  陽イオン発生部
１５０  陰イオン発生部
１−２  ファン付除菌照明装置
３００  発光板
３１０  放熱兼取付板
３３０  化粧板
３４０  空気通路
３５０  カバー
３７０  前面板
３８０  空気吸込口
３９０  空気吐出口
４００  ファン
【図１】
2010282791.tif 000003
【図２】
2010282791.tif 000004
【図３】
2010282791.tif 000005
【図４】
2010282791.tif 000006
【図５】
2010282791.tif 000007
【図６】
2010282791.tif 000008
【図７】
2010282791.tif 000009
【図８】
2010282791.tif 000010
【図９】
2010282791.tif 000011